(57)【要約】【課題】既存のシステムは、データパケットと同等な通信経路により情報を収集するため、ネットワークが切断された場合に、ノードの状態等を視覚的に表示することができない。また、設置段階では、これらの機能を利用できない。【解決手段】アドホックモードでの通信が可能な無線端末に、（ａ）論理ネットワーク上の隣接ノードについて無線レベルを検知する無線レベル検知部と、（ｂ）無線レベル検知部の検知結果より、アドホックモードによる通信が可能な隣接ノードの数を示す情報を、自機に搭載された又は外部接続された表示デバイスに表示させる隣接ノード数表示制御部とを搭載する。【選択図】図１１
2007104536.tif 000002
【特許請求の範囲】
【請求項１】
アドホックモードでの通信が可能な無線端末であって、
論理ネットワーク上の隣接ノードについて無線レベルを検知する無線レベル検知部と、
前記無線レベル検知部の検知結果より、アドホックモードによる通信が可能な隣接ノードの数を示す情報を、自機に搭載された又は外部接続された表示デバイスに表示させる隣接ノード数表示制御部と
を有することを特徴とする無線端末。
【請求項２】
アドホックモードでの通信が可能な無線端末であって、
論理ネットワーク上の隣接ノードについて無線レベルを検知する無線レベル検知部と、
前記無線レベル検知部で検知された隣接ノード別の無線レベルを、自機に搭載された又は外部接続された表示デバイスに表示させる無線レベル表示制御部と
を有することを特徴とする無線端末。
【請求項３】
請求項２に記載の無線端末であって、
自機が論理ネットワーク上の接続に実際に使用している隣接ノードを示す情報を、自機に搭載された又は外部接続された表示デバイスに表示させる実接続ノード表示制御部と
を有することを特徴とする無線端末。
【請求項４】
請求項２に記載の無線端末であって、
隣接するノード間で自他を識別する情報を交換する識別情報交換部と、
交換された識別情報を、自機に搭載された又は外部接続された表示デバイスに表示させる識別情報表示制御部と
を有することを特徴とする無線端末。
【請求項５】
請求項４に記載の無線端末であって、
自他ノードの識別に使用する複数色のうち選択された色で発光可能な発光素子又は複数色の各色に対応する複数個の発光素子が搭載されている場合、
前記識別情報表示制御部は、前記発光素子を自機に割り当てられた発光色で点灯させる
ことを特徴とする無線端末。
【請求項６】
アドホックモードでのマルチホップ通信が可能な無線端末であって、
目的接続点に定めた端末装置と自機との間に、アドホック・ルーティングによる通信経路が確保されているか否かを検知する到達状態検出部と、
前記到達状態検出部の検知結果を、自機に搭載された又は外部接続された表示デバイスに表示させる到達状態表示制御部と
を有することを特徴とする無線端末。
【請求項７】
アドホックモードでの通信が可能な無線端末に搭載されるコンピュータに、
論理ネットワーク上の隣接ノードについて無線レベルを検知する処理と、
無線レベルの検知結果よりアドホックモードによる通信が可能な隣接ノードの数を示す情報を求め、自機に搭載された又は外部接続された表示デバイスに表示させる処理と
を実行させることを特徴とするプログラム。
【請求項８】
アドホックモードでの通信が可能な無線端末に搭載されるコンピュータに、
論理ネットワーク上の隣接ノードについて無線レベルを検知する処理と、
検知された隣接ノード別の無線レベルを、自機に搭載された又は外部接続された表示デバイスに表示させる処理と
を実行させることを特徴とするプログラム。
【請求項９】
アドホックモードでのマルチホップ通信が可能な無線端末に搭載されるコンピュータに、
目的接続点に定めた端末装置と自機との間に、アドホック・ルーティングによる通信経路が確保されているか否かを検知する処理と、
検出結果を、自機に搭載された又は外部接続された表示デバイスに表示させる処理と
を実行させることを特徴とするプログラム。
【発明の詳細な説明】
【技術分野】
【０００１】
この明細書で説明する発明は、アドホックモードで接続された論理ネットワークの状態を、個々の無線端末において視覚的に確認可能にする技術に関する。
なお、発明は、同技術を採用する無線端末及びプログラムとしての側面を有する。
【背景技術】
【０００２】
ワイヤレス・アドホック・ネットワークを用いれば、アクセスポイント等の無線通信基盤が無い環境下でも無線端末間の通信を繰り返すことにより、目的とする無線端末やインターネット接続点との通信を実現することができる。
この特性より、ワイヤレス・アドホック・ネットワークは、過疎地での又は一時的なネットワーク環境の提供手段として利用されている。また、ワイヤレス・アドホック・ネットワークは、通信基盤の配備に要するコストを低減する手法の一つとして利用されている。
【特許文献１】特開２００４−２８９８３９号公報
【発明の開示】
【発明が解決しようとする課題】
【０００３】
ところで、ワイヤレス・アドホック・ネットワークでは、論理的に構築されるネットワーク構成が実在する無線端末又はアクセスポイントとリンクしていない。
このため、データパケットがどのような経路を通っているかを把握することが難しく、トラブルが発生した際の切り分けが困難であるという課題が存在する。
【０００４】
既存の状態監視サーバの中には、各ノードの状態や通信経路に関する情報を表示できる処理機能は搭載するものが存在する。
しかし、これら既存の処理機能は、データパケットと同等な通信経路を通じて必要とする情報を収集する。
このため、ネットワークが切断された場合には、ノード（無線端末又はアクセスポイント）の状態等を表示することができない。また、設置段階では、これら処理機能を利用できないことが多い。
【課題を解決するための手段】
【０００５】
そこで、発明者は、各無線端末に以下に示す処理機能を搭載する手法を提案する。
（Ａ）隣接ノード数の表示機能
この機能の実現のため、以下の処理機能を無線端末に搭載する。
（ａ）論理ネットワーク上の隣接ノードについて無線レベルを検知する処理機能
（ｂ）検知結果より、アドホックモードによる通信が可能な隣接ノードの数を示す情報を、自機に搭載された又は外部接続された表示デバイスに表示させる処理機能
【０００６】
（Ｂ）隣接ノードの無線レベルの表示機能
この機能の実現のため、以下の処理機能を無線端末に搭載する。
（ａ）論理ネットワーク上の隣接ノードについて無線レベルを検知する処理機能
（ｂ）検知された隣接ノード別の無線レベルを、自機に搭載された又は外部接続された表示デバイスに表示させる処理機能
【０００７】
（Ｃ）到達状態の表示機能
この機能の実現のため、以下の処理機能を無線端末に搭載する。
（ａ）目的接続点に定めた端末装置と自機との間に、アドホック・ルーティングによる通信経路が確保されているか否かを検知する処理機能
（ｂ）検知結果を、自機に搭載された又は外部接続された表示デバイスに表示させる処理機能
【発明の効果】
【０００８】
発明に係る技術の採用により、状態監視サーバーに依存することなく、個々の無線端末においてアドホック・ルーティングに関する各種の状態を確認することが可能になる。
また、アドホック・ネットワークの設定段階でも、アドホック・ルーティングに関する各種の状態を確認することが可能になる。
【発明を実施するための最良の形態】
【０００９】
以下、発明に係る処理機能を搭載した無線端末の形態例を説明する。
なお、本明細書で特に図示又は記載されない部分には、当該技術分野の周知又は公知技術を適用する。
また以下に説明する形態例は、発明の一つの形態例であって、これらに限定されるものではない。
【００１０】
（Ａ）無線端末例
無線端末の代表的な構成例を図１及び図２に示す。なお、図１及び図２は、主要な処理機能や素子（装置）のみを表している。実際の無線端末には、これら以外にも既知の処理機能や素子（装置）が搭載される。
【００１１】
図１に示す無線端末１は、無線アンテナ３、無線通信部５、アドホック・ネットワーク状態画面生成部７、表示デバイス９で構成される。
無線通信部５は、アドホックモードに対応する無線通信機能を搭載する通信デバイスである。例えばＩＥＥＥ８０２．１１標準に準拠する無線デバイス、ＩＥＥＥ８０２．１１ａ、ＩＥＥＥ８０２．１１ｂ、ＩＥＥＥ８０２．１１ｅ、ＩＥＥＥ８０２．１１ｇに対応する通信デバイスを使用する。
【００１２】
アドホック・ネットワーク状態画面生成部７は、自機が参加するアドホック・ネットワークの状態を端末利用者に視覚的に提示するための機能を提供する処理機能部である。
視覚的な提示に必要な情報は、無線端末同士の間で自律的に交換される。例えば、利用可能チャネル、隣接ノードアドレス、隣接ノード同士の識別情報、アプリケーション層（ＯＳＩ：open system interconnection）間での経路到達情報等が交換される。
【００１３】
アドホック・ネットワーク状態画面生成部７の機能は、無線端末１に搭載されたＣＰＵやマイクロプロセッサ上で実行されるソフトウェア処理を通じて実現される。
なお、実行されるソフトウェア（プログラム）は、不図示の記憶領域に格納されている。記憶領域には、ＲＡＭ、ＲＯＭ、ハードディスク装置、光学式記憶媒体その他を無線端末１の商品形態に応じて利用する。
【００１４】
表示デバイス９は、アドホック・ネットワークの状態の提示専用とすることもできるが、この形態例では汎用製品を使用する。表示デバイス９の商品形態は、無線端末１の商品形態に応じて異なるが、一般には液晶ディスプレイパネル、有機ＥＬディスプレイパネルその他のフラットパネルを使用する。
ところで、表示デバイス９は、必ずしも無線端末１に実装されている必要はない。
【００１５】
図２に、表示デバイスを実装しない無線端末１１の商品形態例を示す。この場合、無線端末１１には、無線アンテナ３、無線通信部５、アドホック・ネットワーク状態画面生成部７のみが実装される。そして、アドホック・ネットワークの状態を確認する必要がある場合には、無線端末１１に対して独立した表示デバイス１３を外部接続することで実現する。
【００１６】
これら無線端末の一例に、機器組み込み型システムがある。機器組み込み型システムは、コンピュータシステムを内蔵する任意の製品を含む。
例えば、自動車、情報家電（例えば、テレビジョン受像機、冷蔵庫、空調機、電子レンジ、電話機、ビデオレコーダ）、携帯情報端末（携帯型のコンピュータ、携帯電話機、携帯型ゲーム機、電子書籍等）、表示装置、印刷装置、ネットワークカメラ、デジタルカメラ、ゲーム機器、汎用コンピュータ、時計、電子広告板、携帯音楽プレーヤを含む。
【００１７】
この他、無線端末の一例に、センサーノードがある。センサーノードとは、センサーノードとは、電源、マイクロプロセッサ（ＣＰＵ）、センサー、無線通信機能を全て内蔵する無線端末をいう。センサーには、例えば温度センサー、湿度センサー、加速度センサーその他の検知デバイスが用いられる。センサーノードは、モノ、人、環境等の状態をリアルタイムに把握するのに有用である。
なお、センサーノードは、一般的に装置本体が型である場合や表示デバイスを実装できない場合が多い。
【００１８】
（Ｂ）搭載機能例
以下、アドホック・ネットワークの状態を利用者に提供するアドホック・ネットワーク状態画面生成部７に搭載する処理機能の一例を説明する。
なお、前述した通り、無線端末の基本構成は、表示デバイスを実装するか外部接続するかの２通りに分類することができる。実際、いずれかの構成の採用により、アドホック・ネットワークの状態を無線端末で把握することが可能になる。
【００１９】
ただし、以下の説明では、図３に示す構成の無線端末２１について説明する。無線端末２１は、複数色で発光可能なＬＥＤ２３を前述した構成に追加することにより、論理ネットワーク上での隣接ノードを、利用者が視覚的に確認できるようにしたものである。なお、図３とは異なり、各色に対応する複数個のＬＥＤを搭載する構成とすることも可能である。
【００２０】
また言うまでもなく、ＬＥＤは、発光素子の一例であって、形態例がこれに限定される意味ではない。
また、無線端末２１は、表示デバイス９を実装する場合について表しているが、表示デバイス２３を外部接続する構成とすることも可能である。
また、ＬＥＤ自体を外付けとする構成にも応用できる。
【００２１】
図４に、アドホック・ネットワーク状態画面生成部７に搭載する機能構成例を示す。
この形態例の場合、アドホック・ネットワーク状態画面生成部７には、５つの処理機能を搭載する。隣接ノード数表示機能３１、無線レベル表示機能３３、実接続ノード表示機能３５、ノード識別情報表示機能３７、到達状態表示機能３９の５つである。
以下、これら各機能について説明する。
【００２２】
（Ｂ−１）隣接ノード数表示機能
隣接ノード数表示機能３１は、実際にアドホック通信の実接続経路（代表経路）に選択していないノード（無線端末）も含め、自機との間でデータパケットの送受が可能な隣接ノードの数を表示する機能に対応する。この機能により、各無線端末の周囲に位置する隣接ノードを一目で確認することが可能になる。
ここでの隣接ノードは、論理ネットワーク上で隣接するノードをいう。
【００２３】
ここで、隣接ノード数表示機能３１は、無線レベル検知部４１と隣接ノード数表示制御部４３とで実現される。
無線レベル検知部４１は、論理ネットワーク上の隣接ノードについて無線レベルを検知する処理機能であり、無線レベル表示機能３３でも利用される。無線レベル検知部４１では、自機で受信される隣接ノードの無線レベルの高低が検知される。もっとも、その目的を考慮すると、自機との間でデータパケットを送受できる（データパケットが自機に到達する）数が分かれば良い。
【００２４】
隣接ノード数表示制御部４３は、無線レベル検知部４１の検知結果より、アドホックモードによる通信が可能な隣接ノードの数を示す情報を表示デバイス９に表示させる機能に対応する。なお、表示されるノード数は、無線レベルがしきい値以上のものに限ることにしても良い。無線レベルが小さすぎると、そもそも隣接ノードとして利用できる可能性がないためである。
【００２５】
図５に、隣接ノード数の表示例を示す。
図５（Ａ）は、隣接ノードの数を通し番号で表す例である。この例の場合、自機の周辺に２台の隣接ノードが存在することを表している。
図５（Ｂ）は、隣接ノードの台数を数値として表す例である。この例の場合、自機の周囲に「４台」の隣接ノードが存在することが分かる。
【００２６】
図５（Ｃ）は、隣接ノードの台数をマーク、記号又は絵記号の数で表す例である。この例の場合、隣接ノードの１台を正方形状のマークで示している。すなわち、自機の周囲に３台の隣接ノードが存在することが分かる。
この他、隣接ノードのネットワークアドレス（例えばＭＡＣアドレス）、隣接ノード名を文字列として列記することもできる。
【００２７】
（Ｂ−２）無線レベル表示機能
無線レベル表示機能３３は、隣接ノード別の無線レベルを一覧的に表示する機能に対応する。この機能の搭載により、各隣接ノードの無線レベルの高低を一目で確認することができる。
無線レベル表示機能３３は、無線レベル検知部４１と無線レベル表示制御部４５とで実現される。
無線レベル検知部４１は、前述したように、論理ネットワーク上の隣接ノードについて無線レベルを検知する処理機能である。
【００２８】
無線レベル表示制御部４５は、無線レベル検知部４１で検知された隣接ノード別の無線レベルを表示デバイス９に表示させる機能に対応する。
図６に、無線レベルの表示例を示す。
図６（Ａ）は、隣接ノード別の無線レベルを数値で表す例である。この例の場合、自機の周囲には２台の隣接ノードが存在し、そのうち「隣接機１」の無線レベルが「４」、「隣接機２」の無線レベルが「１２」であることが分かる。
【００２９】
図６（Ｂ）は、隣接ノード別の無線レベルをインジケータ（棒グラフの長さ）で表す例である。この例の場合、自機の周囲には３台の隣接ノードが存在し、そのうち「隣接機１」の無線レベルが「６レベル」、「隣接機２」の無線レベルが「１４レベル」、「隣接機３」の無線レベルが「２レベル」であることが分かる。
【００３０】
なお、図６は、隣接ノードを図５（Ａ）に示す方法と組み合わせて表示する例である。従って、隣接ノードの数を表す表示例のうち、個別の隣接ノードを独立した態様で表示できる方法と組み合わせることも可能である。例えば、図５（Ｃ）に示す表示例と無線レベルの表示を組み合わせることもできる。
【００３１】
（Ｂ−３）実接続ノード表示機能
実接続ノード表示機能３５は、自機が論理ネットワーク上の接続に実際に使用している隣接ノードを示す情報を、自機に搭載された又は外部接続された表示デバイスに表示させる機能に対応する。この機能により、監視サーバーやインターネットゲート等で使用される代表経路に対して、どの隣接ノードにデータパケットを転送するかを一目で確認することができる。
この実接続ノード表示機能３５は、実接続ノード表示制御部４７で実現される。
【００３２】
代表経路には、基本的に無線レベルの最も高い隣接ノードが選択されるが、これに限らない。
実接続ノード表示制御部４７は、利用可能な選択ノードのうち実際に接続に使用されている隣接ノードの情報を取得して表示デバイス９に表示する。この機能により、利用者は、データパケットのホッピング先である無線端末を特定することができる。このため、通信トラブルの発生時にも、故障箇所の切り分けが容易になる。
【００３３】
図７に、実接続ノードの表示例を示す。
図７（Ａ）は、自機の周辺に位置する隣接ノードの一覧のうち、実際に接続に使用されている隣接ノードにのみ選択状態を記号で付す例である。この例の場合、「隣接機１」の隣に選択状態を示す○印が付されている。勿論、この記号は、任意である。
図７（Ｂ）は、自機の周辺に位置する隣接ノードの一覧のうち、実際に接続に使用されている隣接ノードに対応する表示領域に着色して又は高輝度で表示する例を示す。
【００３４】
この例の場合、隣接機１が実接続ノードである。図７（Ｂ）の場合は、この状態を網掛けで示す。
図７（Ｃ）は、自機の周辺に位置する隣接ノードの一覧のうち、実際に接続に使用されている隣接ノードの近傍位置に「接続中」を示す文字を表示する例を示す。この例の場合は、「隣接機２」が「接続中」である。
この他、接続状態は、前述した無線レベルを示すインジケータに色を付けることで表すこともできる。
【００３５】
（Ｂ−４）ノード識別情報表示機能
ノード識別情報表示機能３７は、隣接ノード間での自他の識別を可能とする情報を表示する機能に対応する。この自他識別情報が表示されることで、利用者は、自機とその周辺に位置する隣接ノードとの関係を視覚的に確認することが可能になる。この表示機能は、他の表示機能との組み合わせでも使用される。
【００３６】
ここで、ノード識別情報表示機能３７は、識別情報交換部４９と識別情報表示制御部５１とで実現される。
識別情報交換部４９は、隣接するノード間で自他を識別する情報を交換する処理機能である。少なくとも各機とその隣接ノード間において、識別情報が重複しなければ良い。
識別情報表示制御部５１は、交換された識別情報を表示デバイス９に表示させる処理機能である。
【００３７】
図８に、ノード識別情報の表示例を示す。
図８（Ａ）は、隣接ノード間で交換された識別用の文字列を表示する例である。この例の場合、「隣接機１」には識別番号「０００１」が割り当てられており、「隣接機２」の識別番号には「０００２」が割り当てられている。勿論、識別用の文字列は、識別番号に限らず、ネットワークアドレスや機器固有の番号でも良い。
【００３８】
図８（Ｂ）は、隣接ノード間で割り当てられた色情報の対応関係を示す例である。この例の場合、「隣接機１」には「赤」が割り当てられ、「隣接機２」には「青」が割り当てられ、「隣接機３」には「緑」が割り当てられている。
なお、割り当てられた識別色に基づいてＬＥＤ２３を発光制御することができれば望ましい。ＬＥＤ２３が各識別色で発光していれば、自機と離れて位置する隣接ノードについても論理ネットワーク上での隣接関係を把握することが可能になる。すなわち、論理ネットワーク上の隣接関係を物理的な存在として把握することが可能になる。
【００３９】
図８（Ｃ）は、隣接ノード間で割り当てられた模様情報の対応関係を示す例である。この例の場合、「隣接機１」、「隣接機２」、「隣接機３」とで別々の模様を使用する。このような表示形態を採用することによっても、隣接ノード同士の識別を可能にすることができる。なお、ここでの模様は、各隣接ノードの筐体に付されている特徴的な模様や本体色でも構わない。これらは、アドホック通信を通じて交換することが可能である。この場合は、ＬＥＤ２３を用いなくても物理的な識別が可能になる。
【００４０】
（Ｂ−５）到達状態表示機能
到達状態表示機能３９は、自機の最終的な接続先であるネットワーク端末（無線端末だけでなく固定機を含む。）までの経路の到達状態を表示する機能に対応する。この機能により、代表経路に選択された直近の隣接ノード間の接続状態だけでなく、通信経路の両端アプリケーション層間の到達状態を個々の無線端末レベルで確認することが可能になる。
【００４１】
すなわち、ネットワーク全体としての通信の正常性を無線端末レベルで確認することが可能になる。
ここで、到達状態表示機能３９は、到達状態検知部５３と到達状態表示制御部５５とで実現される。
【００４２】
到達状態検知部５３は、目的接続点に定めた端末装置と自機との間に、アドホックモードによる通信経路が確保されているか否かを検知する処理機能である。具体的には、ノード間の情報交換を通じて取得した経路情報に基づいて、最終接続点に至る通信経路が確保されたか否かを検知する処理機能である。
【００４３】
到達状態表示制御部５５は、到達状態検知部５３の検知結果を表示デバイス９に表示させる機能に対応する。
図９に、到達状態の表示例を示す。図９は、到達状態の可否を文字情報で示す例である。
【００４４】
図９（Ａ）は、目的とする最終接続点までアドホック・ルーティングによって経路が形成されている場合の表示例である。図では、この状態を「到達」として表している。
図９（Ｂ）は、目的とする最終接続点との間に経路が形成できなかった場合の表示例である。この場合は、トラブル箇所の切り分け作業が必要となる。図では、この状態を「不到達」として表している。
【００４５】
この他、到達の可否を、ＬＥＤや特定の表示領域の点灯と消灯とで示すことも可能である。図１０に、この手法に対応する表示例を示す。
図１０（Ａ）は、パケットデータの最終接続点への到達をＬＥＤその他の発光素子の点灯で示す例である。
図１０（Ｂ）は、ＬＥＤその他の発光素子の消灯により、パケットデータの最終接続点への不到達を示している。
【００４６】
（Ｃ）表示画面例
以上の説明では、個々の機能に対応する表示例を説明した。ここでは、実際に用いる表示画面例を示す。
図１１は、以上説明した５つの情報を１つの画面上で確認できるように構成した表示例である。
この表示画面は、自機情報欄６１、隣接ノード情報欄６３、到達状態通知欄６５で構成される。
【００４７】
自機情報欄６１には、隣接ノードの間で自機に割り当てられた識別色が表示される。この例の場合、識別色は「緑」である。
隣接ノード情報欄６３には、隣接ノードの数を与える情報（隣接機１〜隣接機３）と、各隣接ノードに割り当てられた識別色と、各無線ノードに対応する無線レベルと、実接続経路（選択経路）とが表示される。
【００４８】
この例の場合、隣接ノードの数は３台である。また、隣接機１の識別色は「赤」であること、無線レベルは「６レベル」であることが分かる。同様に、隣接機２の識別色は「黄」であること、無線レベルは「１４レベル」であることが分かる。また、隣接機３の識別色は「青」であること、無線レベルは「２レベル」であることが分かる。
【００４９】
図１２に、対応する位置関係を示す。なお、表示画面だけでは、どの隣接機がホップ先に対応するかを確認することはできない。
しかし、この形態例の無線端末には、いずれも自機に割り当てられた識別色でＬＥＤ２３を発光させる機能が搭載されている。従って、利用者は無線端末に搭載されたＬＥＤの発光色を確認することにより、どの無線端末がホップ先であって、自機との間の無線レベルがどの程度かを容易に把握することができる。
【００５０】
勿論、その他の無線端末についても表示画面の識別色と各無線端末の発光色とを対比することにより、隣接機として認識されていることや無線レベルの状態を確認することができる。
さらに、自機は、隣接機２との間に実接続経路（選択経路）を形成していることが分かる。図では、選択状態を円形のマーク６７で示す。
【００５１】
到達状態通知欄６５には、最終接続点への到達状態が表示される。図１１の場合は、到達していることを表している。
図１３に、自機と最終接続点との関係を示す。図１３は、セキュリティシステム７１について表している。この例の場合、無線端末は、アドホック通信機能に対応したＩＰカメラである。アドホック・ネットワーク上には５台のＩＰカメラが接続されており、最終的には１台のＩＰカメラ経由でサーバー７３と接続されている。
【００５２】
なお、図１３では、図１１に示す表示画面が表示されるＩＰカメラ（無線端末）に網掛けを付して表している。
図１３に示すように、自機から最終接続点であるサーバー７３まではアドホック通信部分を含めて３ホップを必要とする。
この機能が搭載されることで、自機がサーバー７３と接続され、アプリケーションサービスの利用が可能なことが分かる。
【００５３】
（Ｄ）形態例の効果
以上説明したように、アドホック・ネットワーク状態画面生成部７を無線端末に搭載することにより、状態監視サーバーに依存することなく、個々の無線端末においてアドホック・ルーティングに関する各種の状態を確認することが可能になる。
また、アドホック・ネットワークの設定段階でも、ホッピング先の隣接ノード（無線端末）、無線接続可能な隣接ノードの数や無線レベル、最終接続点への到達状態その他のアドホック・ルーティングに関する各種の状態を確認することが可能になる。
【００５４】
（Ｅ）他の形態例
（ａ）前述の形態例では、アドホック・ネットワーク状態画面生成部７に、隣接ノード数表示機能３１、無線レベル表示機能３３、実接続ノード表示機能３５、ノード識別情報表示機能３７、到達状態表示機能３９の５つの機能を搭載する場合について説明した。
しかし、これら５つのうちの１つ又は任意の複数を組み合わせて無線端末に搭載することもできる。
【００５５】
（ｂ）前述の形態例では、５台のＩＰカメラでセキュリティシステムを構成する場合について説明した。
しかし、適用システム例はこれに限らない。アドホック・ネットワークを利用するシステムであれば、任意のシステムに適用できる。
（ｃ）前述の形態例には、発明の趣旨の範囲内で様々な変形例が考えられる。また、本明細書の記載に基づいて創作される又は組み合わせられる各種の変形例及び応用例も考えられる。
【図面の簡単な説明】
【００５６】
【図１】無線端末の構成例を示す図である。
【図２】無線端末の構成例を示す図である。
【図３】形態例で使用する無線端末の構成例を示す図である。
【図４】アドホック・ネットワーク状態画面生成部に搭載する機能構成例を示す図である。
【図５】隣接ノード数表示機能に対応する表示例を示す図である。
【図６】無線レベル表示機能に対応する表示例を示す図である。
【図７】実接続ノード表示機能に対応する表示例を示す図である。
【図８】ノード識別情報表示機能に対応する表示例を示す図である。
【図９】到達状態表示機能に対応する表示例を示す図である。
【図１０】到達状態表示機能に対応する他の表示例を示す図である。
【図１１】表示画面例を示す図である。
【図１２】各機に割り当てられた識別色と隣接ノードとの関係を示す図である。
【図１３】応用システム例を示す図である。
【符号の説明】
【００５７】
１、１１、２１  無線端末
７              アドホック・ネットワーク状態画面生成部
２３            ＬＥＤ
３１            隣接ノード数表示機能
３３            無線レベル表示機能
３５            実接続ノード表示機能
３７            ノード識別情報表示機能
３９            到達状態表示機能
４１            無線レベル検知部
４３            隣接ノード数表示制御部
４５            無線レベル表示制御部
４７            実接続ノード表示制御部
４９            識別情報交換部
５１            識別情報表示制御部
５３            到達状態検知部
５５            到達状態表示制御部
【図１】
2007104536.tif 000003
【図２】
2007104536.tif 000004
【図３】
2007104536.tif 000005
【図４】
2007104536.tif 000006
【図５】
2007104536.tif 000007
【図６】
2007104536.tif 000008
【図７】
2007104536.tif 000009
【図８】
2007104536.tif 000010
【図９】
2007104536.tif 000011
【図１０】
2007104536.tif 000012
【図１１】
2007104536.tif 000013
【図１２】
2007104536.tif 000014
【図１３】
2007104536.tif 000015